(57)【要約】【課題】開口率を低下させることなく、コントラストを向上できるカラー表示装置を提供する。【解決手段】基板１２上に薄膜トランジスタ１３を形成し、薄膜トランジスタ１３を覆うようにブラックマトリックス用絶縁層１５を形成する。そして、ブラックマトリックス用絶縁層１５上に有機ＥＬ層１８からなる発光層を備えた有機ＥＬ素子１６をマトリックス状に形成し、有機ＥＬ素子１６からの発光の取り出し方向をブラックマトリックス用絶縁層１５に対して基板１２と反対側とする。さらに、有機ＥＬ素子１６のブラックマトリックス用絶縁層１５と反対側にカラーフィルタ２３を設け、該カラーフィルタ２３の各画素２３ｂの境界が各有機ＥＬ素子１６の画素電極１７の境界と対向するように配設した。【選択図】　　　図１
2004047194.tif 000002
【特許請求の範囲】
【請求項１】
基板上にアクティブ駆動用素子を形成し、前記アクティブ駆動用素子を覆うようにブラックマトリックス用絶縁層を形成し、前記ブラックマトリックス用絶縁層上に有機ＥＬ材料の薄膜からなる発光層を備えた有機ＥＬ素子をマトリックス状に形成し、前記有機ＥＬ素子からの発光の取り出し方向を前記ブラックマトリックス用絶縁層に対して前記基板と反対側とし、前記有機ＥＬ素子の前記ブラックマトリックス用絶縁層と反対側にカラーフィルタを設け、該カラーフィルタの各色の境界が前記各有機ＥＬ素子の画素電極の境界と対向するように配設したカラー表示装置。
【請求項２】
前記画素電極は前記アクティブ駆動用素子を覆うように配設され、前記アクティブ駆動用素子は前記ブラックマトリックス用絶縁層に形成されたコンタクトホールを介して前記画素電極と電気的に接続されている請求項１に記載のカラー表示装置。
【請求項３】
前記有機ＥＬ素子はパッシベーション膜で被覆されている請求項１又は請求項２に記載のカラー表示装置。
【請求項４】
前記発光層は白色発光層である請求項１〜請求項３のいずれか一項に記載のカラー表示装置。
【請求項５】
反射型カラー液晶ディスプレイの液晶ユニットを挟んでカラーフィルタと反対側に配設される基板上にブラックマトリックス用絶縁層を形成し、前記液晶ユニットの画素電極の境界と、カラーフィルタの各画素の境界とが対向するように構成したカラー表示装置。
【請求項６】
前記反射型カラー液晶ディスプレイはアクティブマトリックス型であり、前記液晶ユニットを挟んでカラーフィルタと反対側に配設される基板と、前記ブラックマトリックス用絶縁層との間にアクティブ駆動用素子が形成されている請求項５に記載のカラー表示装置。
【請求項７】
前記ブラックマトリックス用絶縁層の前記基板と反対側の表面が波状に形成されている請求項５又は請求項６に記載のカラー表示装置。
【発明の詳細な説明】
【０００１】
【発明の属する技術分野】
本発明は、カラー表示装置に係り、詳しくは有機エレクトロルミネッセンス（以下、単に有機ＥＬという）カラーディスプレイ、カラー液晶ディスプレイ等のカラーフィルタを備えたカラー表示装置に関するものである。
【０００２】
【従来の技術】
この種のカラー表示装置として、白色発光の発光層を有する有機ＥＬ素子を用い、カラーフィルタにより所望の発光色を得る構成の有機ＥＬカラー表示装置が優れた表示性能から近年注目されている。この種の有機ＥＬカラー表示装置において、駆動方式としてアクティブ駆動を採用する場合、カラー表示装置は、図４に示すような構成となる。
【０００３】
即ち、カラー表示装置５１は、ガラス製の基板５２の上にブラックマトリックス５３ａで各画素５３ｂが区画されたカラーフィルタ５３及び平坦化膜５４からなるカラーフィルタ構造体５５が形成され、カラーフィルタ構造体５５の上にＴＦＴ（薄膜トランジスタ）駆動回路５６が形成される。そして、その上に透明電極（陽極）５７、有機ＥＬ層５８及び金属電極（陰極）５９が順次積層形成され、有機ＥＬ層５８の発光がカラーフィルタ５３を経て基板５２側から取り出されるようになっている。また、有機ＥＬ材料は酸素や水分との反応性が高いため、有機ＥＬ層５８を外気から遮断するための封止カバー（封止缶）６０が基板５２上に接着されている。封止カバー６０内にゲッター剤６０ａが収容されている。なお、ゲッター剤とは、水分や酸素など、有機ＥＬ層５８に有害な成分を吸収、吸着する作用をなす物質を意味し、吸湿剤や乾燥剤、あるいは酸素吸着剤等が単独あるいは混合した状態で使用される。
【０００４】
有機ＥＬ材料を用いた発光ディスプレイは非発光時、背面の電極の金属光沢が目に入り、見にくい。この問題を解消する方法として、特開平１０−２５５９８６号公報には、有機ＥＬ素子を構成する一方の電極を半透明とし、その後ろに黒色材料を設けたものが提案されている。即ち、図５に示すように、基板５２上にＴＦＴ駆動回路５６及び絶縁層６１が形成され、絶縁層６１上に透明電極５７、有機ＥＬ層５８（有機ＥＬ材料）、半透明電極６２が積層され、半透明電極６２の上に黒色層６３が設けられている。
【０００５】
また、特開２０００−４８９６４号公報には、簡便にブラックマトリックスを形成する構成が提案されている。図６に示すように、基板５２上にストライプ状に透明電極５７が配設され、その上に有機ＥＬ層５８が形成され、金属電極５９が透明電極５７と直交する状態でストライプ状に形成され、その上に絶縁性の黒色層６３が設けられている。また、図７に示すように、金属電極５９と対応する箇所に開口部６４が存在するように黒色層６３を設け、その開口部６４を介して補助電極６５を導通させる構成も提案されている。
【０００６】
【発明が解決しようとする課題】
ところが、白色発光の有機ＥＬ素子にカラーフィルタ構造体５５を貼り合わせる構成では、貼り合わせの精度を考慮してブラックマトリックス５３ａの幅を広く形成する必要があり、ブラックマトリックス５３ａが開口率の低下要因となっている。特開平１０−２５５９８６号公報に開示されたディスプレイでは、黒色層６３に半透明電極６２から入射した外光が反射し難くなることを目的としており、カラーフィルタのブラックマトリックスに関しては何ら配慮がされていない。一方、特開２０００−４８９６４号公報の構成は、有機ＥＬ層５８の発光を基板５２側に取り出す構成を前提として記載されている。また、カラーフィルタを使用してフルカラーにする際の適用に関しては何ら記載がない。
【０００７】
また、カラーフィルタを形成する場合は、Ｒ（赤）、Ｇ（緑）、Ｂ（青）の画素を塗り分ける必要があるため段（凹凸）が生じ、その段を平坦化するために樹脂系の平坦化膜５４がカラーフィルタ５３の上に形成される。ところが、カラーフィルタ５３や平坦化膜５４は、有機ＥＬ層５８に比較して厚く、ミクロ的に見ると、平坦化膜５４の表面がうねった状態となり易い。その結果、従来技術のように、カラーフィルタ５３を被覆した平坦化膜５４上に有機ＥＬ素子を形成する構成では、薄い有機ＥＬ層５８を挟んで配置される透明電極５７と金属電極５９とがショートする場合があり、信頼性が悪くなるとともに歩留まりが悪くなるという問題がある。
【０００８】
また、カラーフィルタ構造体５５上にＴＦＴ駆動回路５６を形成する必要があるが、この時に発生する熱により、カラーフィルタ構造体５５が破損するという問題もある。従って、アクティブマトリックス方式で駆動される液晶を製造する際に使用される従来からの工法ではなく、カラーフィルタの熱による破損を回避できる特別な設備を設ける必要があり、製造コストが高くなる。
【０００９】
反射型液晶ディスプレイでは、カラーフィルタにブラックマトリックスを設けないものも出ているが、低コントラストの一因となっている。また、画素電極間から画素電極の下層にある散乱板の色が反射し、全体の色度が悪化したり、信号線等の反射によるコントラスト低下を招く。
【００１０】
本発明は、前記従来の問題に鑑みてなされたものであって、その目的は開口率を低下させることなく、コントラストを向上できるカラー表示装置を提供することにある。
【００１１】
【課題を解決するための手段】
前記の目的を達成するため、請求項１に記載の発明は、基板上にアクティブ駆動用素子を形成し、前記アクティブ駆動用素子を覆うようにブラックマトリックス用絶縁層を形成する。そして、前記ブラックマトリックス用絶縁層上に有機ＥＬ材料の薄膜からなる発光層を備えた有機ＥＬ素子をマトリックス状に形成し、前記有機ＥＬ素子からの発光の取り出し方向を前記ブラックマトリックス用絶縁層に対して前記基板と反対側とする。さらに、前記有機ＥＬ素子の前記ブラックマトリックス用絶縁層と反対側にカラーフィルタを設け、該カラーフィルタの各色の境界が前記各有機ＥＬ素子の画素電極の境界と対向するように配設した。
【００１２】
この発明では、有機ＥＬ素子は従来の有機ＥＬカラー表示装置の場合と異なり、基板上に形成されたカラーフィルタの上に形成されるのではなく、基板上に形成されたアクティブ駆動用素子を覆うように形成されたブラックマトリックス用絶縁層上に形成されている。そして、カラーフィルタは有機ＥＬ素子に対してブラックマトリックス用絶縁層と反対側に配設されている。従って、カラーフィルタにブラックマトリックスを形成する必要がなく、ブラックマトリックスにより画素電極の開口率が低下することを回避できるとともに、コントラストを向上できる。また、カラーフィルタの形成及びカラーフィルタと有機ＥＬアレイ基板との組み付けを簡単にできる。
【００１３】
請求項２に記載の発明は、請求項１に記載の発明において、前記画素電極は前記アクティブ駆動用素子を覆うように配設され、前記アクティブ駆動用素子は前記ブラックマトリックス用絶縁層に形成されたコンタクトホールを介して前記画素電極と電気的に接続されている。この発明では、画素電極をアクティブ駆動用素子と同一平面上に形成する場合と異なり、画素電極を形成する領域がアクティブ駆動用素子を形成する領域と重ならないようにする必要がない。その結果、同じ面積の基板を使用した場合に、有機ＥＬ素子の面積を大きくすることができる。
【００１４】
請求項３に記載の発明は、請求項１又は請求項２に記載の発明において、前記有機ＥＬ素子はパッシベーション膜で被覆されている。従って、この発明では、有機ＥＬ素子が使用環境の水分やガス成分により悪影響を受けるのを封止缶等の保護カバーを設けて抑制する場合に比較して、カラー表示装置を薄くできる。
【００１５】
請求項４に記載の発明は、請求項１〜請求項３のいずれか一項に記載の発明において、前記発光層は白色発光層である。この発明では、カラーフィルタとして赤、緑、青のフィルタを形成すれば、光の三原色が得られる。従って、白色光以外の発光と色変換層との組合せで、必要な三原色を得る構成に比較してカラーフィルタの構成が簡単になる。
【００１６】
請求項５に記載の発明は、反射型カラー液晶ディスプレイの液晶ユニットを挟んでカラーフィルタと反対側に配設される基板上にブラックマトリックス用絶縁層を形成し、前記液晶ユニットの画素電極の境界と、カラーフィルタの各画素の境界とが対向するように構成した。この発明では、反射型カラー液晶ディスプレイにおいて、カラーフィルタにブラックマトリックスを形成する必要がない。従って、ブラックマトリックスにより画素電極の開口率が低下することを回避できるとともに、コントラストを向上できる。また、カラーフィルタの形成及びカラーフィルタと液晶ユニットとの組み付けを簡単にできる。
【００１７】
請求項６に記載の発明は、請求項５に記載の発明において、前記反射型カラー液晶ディスプレイはアクティブマトリックス型であり、前記液晶ユニットを挟んでカラーフィルタと反対側に配設される基板と、前記ブラックマトリックス用絶縁層との間にアクティブ駆動用素子が形成されている。この発明では、アクティブマトリックス型の反射型カラー液晶ディスプレイにおいて、カラーフィルタにブラックマトリックスを形成する必要がなく、カラーフィルタの形成及びカラーフィルタと液晶ユニットとの組み付けを簡単にできる。
【００１８】
請求項７に記載の発明は、請求項５又は請求項６に記載の発明において、前記ブラックマトリックス用絶縁層の前記基板と反対側の表面が波状に形成されている。この発明では、ブラックマトリックス用絶縁層の上に画素電極を積層することにより、画素電極で反射した光が効率よく対応するカラーフィルタの画素を通過して出射される。
【００１９】
【発明の実施の形態】
（第１の実施の形態）
以下、本発明をアクティブマトリックス駆動方式の有機ＥＬ素子を備えたカラー表示装置に具体化した第１の実施の形態を図１及び図２に従って説明する。図１はカラー表示装置の要部模式断面図である。
【００２０】
図１に示すように、カラー表示装置としての有機ＥＬカラー表示装置１１は、基板１２上にアクティブ駆動用素子としての薄膜トランジスタ１３を含む回路層１４が形成されている。基板１２はガラスで形成されている。薄膜トランジスタ１３はゲート電極１３ａ、ソース電極１３ｂ及びドレイン電極１３ｃを備えている。
【００２１】
回路層１４の上には薄膜トランジスタ１３を覆うようにブラックマトリックス用絶縁層１５が形成されている。ブラックマトリックス用絶縁層１５は感光性の黒色樹脂で形成されている。例えば、感光性樹脂を顔料又は染料で黒色に着色したものが使用される。ブラックマトリックス用絶縁層１５は回路層１４と対向する側と反対側の面が平坦に形成され、ブラックマトリックス用絶縁層１５上に有機ＥＬ材料の薄膜からなる発光層を備えた有機ＥＬ素子１６がマトリックス状に形成されている。有機ＥＬ素子１６は、ブラックマトリックス用絶縁層１５側から、画素電極１７、有機ＥＬ層１８及び透明電極１９が順に積層された構成となっている。
【００２２】
発光層としての有機ＥＬ層１８には例えば公知の構成のものが使用され、画素電極１７（陽極）側から順に、正孔注入層、発光層及び電子注入層の３層で構成されている。有機ＥＬ層１８は白色発光層で構成されている。
【００２３】
画素電極１７は金属、例えばクロムで形成され、透明電極１９はＩＴＯ（インジウム錫酸化物）で形成されている。そして、有機ＥＬ素子１６からの発光の取り出し方向が、ブラックマトリックス用絶縁層１５に対して基板１２と反対側（図１の上側）となっている。有機ＥＬ素子１６はパッシベーション膜２０で被覆されている。パッシベーション膜２０は水分の透過を防止する材質、例えば窒化ケイ素ＳｉＮｘや酸化ケイ素ＳｉＯｘで形成されている。
【００２４】
画素電極１７は各薄膜トランジスタ１３に対応してそれぞれ独立に形成され、各画素電極１７はそれぞれ薄膜トランジスタ１３を覆うように配設されている。画素電極１７は平面長方形状に形成されている。各薄膜トランジスタ１３は、ドレイン電極１３ｃがブラックマトリックス用絶縁層１５に形成されたコンタクトホール２１を介して各画素電極１７と電気的に接続されている。
【００２５】
各画素電極１７の境界には透明な樹脂製の凸条２２が形成され、有機ＥＬ素子１６をブラックマトリックス用絶縁層１５と反対側から見ると、図２に示すように、各画素電極１７の境界部にブラックマトリックス用絶縁層１５が黒の縁取りをしたように見える。有機ＥＬ層１８及び透明電極１９は、凸条２２と対応する部分でも連続するように形成されている。有機ＥＬ層１８は薄いため、ブラックマトリックス用絶縁層１５が透けて見える。
【００２６】
有機ＥＬ素子１６のブラックマトリックス用絶縁層１５と反対側にカラーフィルタ２３が設けられている。カラーフィルタ２３は透明なフィルタ基板２３ａと、その上に形成された、Ｒ（赤）、Ｇ（緑）、Ｂ（青）の各画素２３ｂとから構成され、各画素２３ｂが画素電極１７と同じピッチで形成されている。即ち、各画素２３ｂの境界線が、各画素電極１７の境界の中央線の間隔と等しくなるように形成されている。そして、カラーフィルタ２３は、各画素２３ｂの境界が各画素電極１７の境界と対向するように、パッシベーション膜２０の上に配設されている。カラーフィルタ２３はフィルタ基板２３ａを接着剤で基板１２上に接着することにより、所定位置に配設されている。カラーフィルタ２３には有機カラーフィルタが使用されている。
【００２７】
前記のように構成された有機ＥＬカラー表示装置１１を製造する際は、先ず、基板１２上に薄膜トランジスタ１３を含む回路層１４を形成する。薄膜トランジスタ１３は有機ＥＬ素子１６の各画素電極１７と対応する位置に形成される。次に各薄膜トランジスタ１３を覆うようにブラックマトリックス用絶縁層１５が形成された後、ブラックマトリックス用絶縁層１５のドレイン電極１３ｃと対応する箇所にコンタクトホール２１が形成される。そして、画素電極１７の素材をスパッタ等で成膜した後、フォトリソグラフィーにより所定の形状の画素電極１７のパターニングが行われる。次に凸条２２をフォトリソグラフィーにより形成した後、有機ＥＬ層１８及び透明電極１９が形成される。その後、パッシベーション膜２０が形成され、基板１２上に薄膜トランジスタ１３及び有機ＥＬ素子１６が形成された有機ＥＬアレイ基板（アレイ基板）が完成する。この有機ＥＬアレイ基板に、カラーフィルタ２３が組み付けられて有機ＥＬカラー表示装置１１が完成する。各画素電極１７の間隔、即ち画素電極１７の境界の幅は、有機ＥＬアレイ基板に対するカラーフィルタ２３の通常の組み付け精度より大きいため、カラーフィルタ２３を通常の精度で組み付けても、画素２３ｂの境界が画素電極１７の境界から外にずれることが防止される。
【００２８】
次に前記のように構成された有機ＥＬカラー表示装置１１の作用を説明する。発光させるべき有機ＥＬ素子１６の画素電極１７と透明電極１９間に電圧が供給されると、その有機ＥＬ素子１６の有機ＥＬ層１８が白色に発光する。そして、その白色光がカラーフィルタ２３を透過してフィルタ基板２３ａ側から出射される。白色光はカラーフィルタ２３のＲ（赤）、Ｇ（緑）、Ｂ（青）の画素２３ｂを透過した後、対応する色の光となる。Ｒ（赤）、Ｇ（緑）、Ｂ（青）の画素２３ｂの組合せにより所望の色が再現される。
【００２９】
カラーフィルタ２３の各画素２３ｂは、従来と異なりブラックマトリックスで区画されていないが、各画素２３ｂの境界が各有機ＥＬ素子１６を構成する画素電極１７の境界と対向している。その結果、各画素２３ｂの境界部分には画素電極１７の隙間からブラックマトリックス用絶縁層１５が黒く見え、ブラックマトリックスを各画素２３ｂ間に配設した場合と同程度にコントラストが向上する。
【００３０】
この実施の形態では以下の効果を有する。
（１）　基板１２上にアクティブ駆動用素子（薄膜トランジスタ１３）を形成し、その上にブラックマトリックス用絶縁層１５を形成し、ブラックマトリックス用絶縁層１５の平坦な面上に有機ＥＬ素子１６をマトリックス状に形成する。そして、有機ＥＬ素子１６からの発光の取り出し方向をブラックマトリックス用絶縁層１５に対して基板１２と反対側とする。さらに、有機ＥＬ素子１６のブラックマトリックス用絶縁層１５と反対側にカラーフィルタ２３を設け、カラーフィルタ２３の各画素２３ｂの境界が各有機ＥＬ素子１６の画素電極１７の境界と対向するように配設した。
【００３１】
従って、有機ＥＬ素子１６は平坦な面上に形成されるため、有機ＥＬ層１８が薄くても、有機ＥＬ層１８を挟んで形成される両電極１７，１９のショートの危険性が少なくなり、信頼性が向上する。また、カラーフィルタ２３にブラックマトリックスを形成する必要がなく、ブラックマトリックスにより画素電極の開口率が低下することを回避できるとともに、コントラストを向上できる。さらに、ブラックマトリックスの幅を画素電極１７の境界の幅より大きくする必要がなく、開口率を高めることができる。また、ブラックマトリックスのないカラーフィルタは、画素がストライプ配列の場合、Ｒ，Ｇ，Ｂがストライプ状のパターンとなり、カラーフィルタパターンが画素毎に区切られない状態となるため、開口率を低下することなく、コントラストを確保できる。また、カラーフィルタの形成及びカラーフィルタと有機ＥＬアレイ基板との組み付けを簡単にできる。
【００３２】
（２）　画素電極１７は薄膜トランジスタ１３を覆うように配設され、薄膜トランジスタ１３はブラックマトリックス用絶縁層１５に形成されたコンタクトホール２１を介して画素電極１７と電気的に接続されている。従って、画素電極１７を薄膜トランジスタ１３と同一平面上に形成する場合と異なり、画素電極１７を形成する領域が薄膜トランジスタ１３を形成する領域と重ならないようにする必要がない。その結果、同じ面積の基板１２を使用した場合に、有機ＥＬ素子１６の面積を大きくすることができる。
【００３３】
（３）　有機ＥＬ層１８が白色発光層であるため、カラーフィルタ２３として赤、緑、青の画素２３ｂを形成すれば、光の三原色が得られる。従って、白色光以外の発光と色変換層との組合せで、必要な三原色を得る構成に比較してカラーフィルタ２３の構成が簡単になる。
【００３４】
（４）　有機ＥＬ素子１６はパッシベーション膜２０で被覆されている。従って、有機ＥＬ素子１６が使用環境中の水分やガス成分により悪影響を受けるのを封止缶等の保護カバーを設けて抑制する場合に比較して、カラー表示装置を薄くできる。
【００３５】
（５）　カラーフィルタ２３として有機カラーフィルタが使用されているため、無機カラーフィルタを使用した場合に比較して色再現性が良くなる。
（６）　有機ＥＬ層１８からの発光の取り出し方向（出射方向）が基板１２と反対側となるように構成されているため、基板１２及び画素電極１７を透明の材質で形成する必要がなく、材質の自由度が向上する。
【００３６】
（７）　基板１２側に形成される画素電極１７が金属層（この実施の形態ではアルミニウム）で形成されている。従って、画素電極１７を透明電極で形成する場合に比較して、有機ＥＬ層１８から基板１２側に向かう光が画素電極１７で効率よく反射され、カラーフィルタ２３側から出射する光量を多くすることができる。
【００３７】
（８）　有機ＥＬ素子１６がアクティブマトリックス方式で駆動されるためクロストークが防止され、画素数が多くなった場合にパッシブマトリックス方式で駆動される構成に比較してきれいな画面が得られる。
【００３８】
（９）　薄膜トランジスタ１３を含む回路をカラーフィルタ上に形成する必要がないため、薄膜トランジスタ１３を形成する際に発生する熱によりカラーフィルタを破損する虞がない。従って、アクティブマトリックス方式で駆動される液晶を製造する際に使用される従来からの工法で、薄膜トランジスタ１３を含む回路層１４を形成することが可能になる。即ち、回路層１４の形成時に熱によるカラーフィルタの破損を回避する特別な設備を設ける必要がなくなる。
【００３９】
（１０）　基板１２上に形成されたアクティブ駆動用素子（薄膜トランジスタ１３）を覆うようにブラックマトリックス用絶縁層１５を形成し、ブラックマトリックス用絶縁層１５上に複数の画素電極１７を所定間隔をおいてマトリックス状に形成した有機ＥＬ素子１６を備えたアレイ基板を形成する。そして、そのアレイ基板に対して、ブラックマトリックスを有しないカラーフィルタ２３を、画素電極１７の境界と、カラーフィルタ２３の画素２３ｂの境界とが対向するように組み付ける。従って、組み付け精度を上げなくても通常の組み付け精度で、カラーフィルタ２３の画素２３ｂの境界が画素電極１７の境界からずれることなく組み付けることができる。
【００４０】
（第２の実施の形態）
次にアクティブマトリックス型の反射型カラー液晶ディスプレイに具体化した第２の実施の形態を図３に従って説明する。図３は反射型カラー液晶ディスプレイの要部模式断面図である。
【００４１】
カラー表示装置としての反射型カラー液晶ディスプレイ３１は、基板３２上にアクティブ駆動用素子としての薄膜トランジスタ３３を含む回路層３４が形成されている。基板３２はガラスで形成されている。薄膜トランジスタ３３はゲート電極３３ａ、ソース電極３３ｂ及びドレイン電極３３ｃを備えている。
【００４２】
回路層３４の上には薄膜トランジスタ３３を覆うようにブラックマトリックス用絶縁層３５が形成されている。ブラックマトリックス用絶縁層３５は感光性の黒色樹脂で形成されている。ブラックマトリックス用絶縁層３５は回路層３４と対向する側と反対側の面が波状に形成されている。ブラックマトリックス用絶縁層３５上に画素電極３６が、ブラックマトリックス用絶縁層３５の表面形状に対応して波状に形成されている。画素電極３６は各薄膜トランジスタ３３に対応してそれぞれ独立に形成され、各画素電極３６はそれぞれ薄膜トランジスタ３３を覆うように配設されている。この実施の形態では画素電極３６は平面長方形状に形成され、隣接する画素電極３６の間からブラックマトリックス用絶縁層３５が見えるようになっている。各薄膜トランジスタ３３は、ドレイン電極３３ｃがブラックマトリックス用絶縁層３５に形成されたコンタクトホール３７において各画素電極３６と電気的に接続されている。
【００４３】
液晶層３８を挟んで平面状の透明電極３９が配設されている。透明電極３９の上にカラーフィルタ４０が積層されている。カラーフィルタ４０は透明なフィルタ基板４０ａと、その上に形成された、Ｒ（赤）、Ｇ（緑）、Ｂ（青）の各画素４０ｂとから構成され、各画素４０ｂが透明電極３９と対向するように透明電極３９上に配設されている。各画素４０ｂも画素電極３６と同様に平面長方形状に形成されている。そして、カラーフィルタ４０は、各画素４０ｂの境界が各画素電極３６の境界と対向するように配設されている。ブラックマトリックス用絶縁層３５、画素電極３６、液晶層３８及び透明電極３９が液晶ユニット４１を構成する。即ち、液晶ユニット４１を挟んでカラーフィルタ４０と反対側に配設される基板３２上にブラックマトリックス用絶縁層３５が形成されている。
【００４４】
前記のように構成された反射型カラー液晶ディスプレイ３１を製造する際は、先ず、基板３２上に薄膜トランジスタ３３を含む回路層３４を形成し、次に各薄膜トランジスタ３３を覆うようにブラックマトリックス用絶縁層３５が形成される。次にブラックマトリックス用絶縁層３５の表面が波状に加工された後、ブラックマトリックス用絶縁層３５のドレイン電極３３ｃと対応する箇所にコンタクトホール３７が形成される。そして、画素電極３６の素材をブラックマトリックス用絶縁層３５上にスパッタで製膜した後、フォトリソグラフィーにより所定の形状の画素電極３６のパターニングが行われる。この実施の形態では、基板３２上に回路層３４、ブラックマトリックス用絶縁層３５、画素電極３６が形成されたものがアレイ基板となる。
【００４５】
次に透明電極３９とカラーフィルタ４０とが積層されたカラーフィルタ構造体４２が、画素電極３６と所定の間隔を保ち、画素４０ｂの境界が画素電極３６の境界と対向するように、基板３２上にスペーサ及びシール剤を介して接着される。即ち、アレイ基板にカラーフィルタ４０が組み付けられる。次に液晶が注入されて液晶層３８が形成された後、封止される。そして、フィルタ基板４０ａの表面に図示しない偏向板（偏光板）が貼り付けられて反射型カラー液晶ディスプレイ３１が完成する。
【００４６】
この実施の形態の反射型カラー液晶ディスプレイ３１では、前記実施の形態の（５）〜（７）と同様な効果の他に、次の効果を有する。
（１１）　カラーフィルタ４０にブラックマトリックスを形成する必要がなく、ブラックマトリックスにより画素電極の開口率が低下することを回避できるとともに、コントラストを向上できる。また、ブラックマトリックスのないカラーフィルタは、画素がストライプ配列の場合、Ｒ，Ｇ，Ｂがストライプ状のパターンとなり、カラーフィルタパターンが画素毎に区切られない状態となるため、開口率を低下することなく、コントラストを確保できる。
【００４７】
（１２）　液晶ユニット４１を挟んでカラーフィルタ４０と反対側に配設される基板３２上にブラックマトリックス用絶縁層３５が形成され、画素電極３６の境界と、カラーフィルタ４０の各画素４０ｂの境界とが対向するように構成されている。従って、カラーフィルタ４０にブラックマトリックスを形成する必要がなく、カラーフィルタ４０の形成及びカラーフィルタ４０と液晶ユニット４１との組み付けを簡単にできる。
【００４８】
（１３）　ブラックマトリックス用絶縁層３５の基板３２と反対側の表面が波状に形成されている。従って、ブラックマトリックス用絶縁層３５の上に画素電極３６を積層することにより、画素電極３６が波状に形成され、画素電極３６で反射した光が効率よくカラーフィルタ４０の画素４０ｂを通過して出射される。即ち、画素電極３６の表面を波状に加工する特別の部品を設ける必要がなくなり、製造が簡単になる。
【００４９】
（１４）　画素電極３６の境界を通してブラックマトリックス用絶縁層３５が見えるため、コントラストが向上するとともに、カラーフィルタ４０の画素４０ｂの境界付近における色の濁りを抑制することができる。
【００５０】
なお、実施の形態は前記に限らず、例えば次のように構成してもよい。
○　有機ＥＬカラー表示装置１１において、画素電極１７を光を通さない金属電極ではなく、透明電極又は半透明電極で構成してもよい。この場合、有機ＥＬ素子１６の非発光時（黒表示時）に、画素電極１７の反射が無くなり、見易さが向上する。
【００５１】
○　ブラックマトリックス用絶縁層１５，３５上に直接、画素電極１７，３６を形成する構成に限らず、ブラックマトリックス用絶縁層１５，３５上に透明な層を形成し、その上に画素電極１７，３６を形成する構成としてもよい。
【００５２】
○　有機ＥＬ層１８は白色発光層に限らず、青色発光層を使用してもよい。この場合、カラーフィルタ２３として色変換層を備えたカラーフィルタを使用することにより、カラーフィルタ２３を透過後の光がＲ（赤）、Ｇ（緑）、Ｂ（青）の画素に対応する色の光となる。従って、白色発光層の場合と同様に、同一色の発光層で所望の色を再現することができる。
【００５３】
○　ブラックマトリックス用絶縁層１５，３５を黒色に着色された感光性樹脂に代えて、黒色に着色された熱硬化性樹脂で形成してもよい。
○　また、ブラックマトリックス用絶縁層１５，３５は必ずしも黒色に着色されていなくても、黒に近い茶色や藍色であってもよい。
【００５４】
○　カラーフィルタ２３，４０を構成するフィルタ基板２３ａ，４０ａはガラス製に限らず、透明な樹脂で形成してもよい。
〇　基板１２，３２は透明である必要がないため、その材質はガラスに限らず、不透明なセラミックスや金属を使用してもよい。また、基板１２，３２に樹脂等のフレキシブル基板を使用してもよい。
【００５５】
○　パッシベーション膜２０に代えて、有機ＥＬ素子１６を覆う透明なガラス又は硬質樹脂製のカバーを設けてもよい。しかし、パッシベーション膜２０の方が前記カバーを設ける構成に比較して有機ＥＬカラー表示装置１１の厚さを薄くできる。
【００５６】
○　反射型カラー液晶ディスプレイ３１の場合、アクティブマトリックス駆動方式に代えて、パッシブマトリックス駆動方式としてもよい。即ち、薄膜トランジスタ３３を含む回路層３４を設けずに、基板３２上にブラックマトリックス用絶縁層３５を積層し、その上にストライプ状に画素電極３６を形成し、透明電極３９は画素電極３６と直交するストライプ状に形成する。
【００５７】
〇　有機ＥＬ層１８を挟んで基板１２側に配設される画素電極１７を陰極とし、基板１２と反対側に配設される透明電極１９を陽極としてもよい。
○　パッシベーション膜２０の材質は、窒化ケイ素ＳｉＮｘや酸化ケイ素ＳｉＯｘに限らず、透明で水分や酸素等のガスの透過率の小さな他の材質、例えばダイヤモンド・ライク・カーボンであってもよい。
【００５８】
〇　アクティブマトリックス方式により有機ＥＬ素子１６を駆動する構成において、基板１２上にアクティブ駆動用素子と有機ＥＬ素子１６とが同一面上に位置するように形成してもよい。この場合、アクティブ駆動用素子と対応する箇所には有機ＥＬ素子１６を形成できないため、アクティブ駆動用素子（薄膜トランジスタ１３）の上に有機ＥＬ素子１６を形成する方が好ましい。
【００５９】
〇　アクティブ駆動用素子として薄膜トランジスタ１３，３３に代えて、ＭＩＭ（Ｍｅｔａｌ−Ｉｎｓｕｌａｔｏｒ−Ｍｅｔａｌ　）素子を使用してもよい。
○　画素電極１７，３６の形状は平面長方形状に限らず、正方形、平行四辺形、台形等の四辺形や、三角形、六角形等の他の多角形や、あるいは、円形、楕円形等に形成してもよい。しかし、開口率を高めるためには、対称形状の多角形が好ましい。
【００６０】
前記実施の形態から把握される発明（技術的思想）について、以下に記載する。
（１）　基板上に形成されたアクティブ駆動用素子を覆うようにブラックマトリックス用絶縁層を形成し、前記ブラックマトリックス用絶縁層上に複数の画素電極を所定間隔をおいてマトリックス状に形成した液晶ユニット又は有機ＥＬ素子を備えたアレイ基板に対して、ブラックマトリックスを有しないカラーフィルタを、前記画素電極の境界とカラーフィルタの画素の境界とが対向するように組み付けるカラー表示装置の製造方法。
【００６１】
（２）　請求項１〜請求項３のいずれか一項に記載の発明において、前記発光層は青色発光層であり、前記カラーフィルタは色変換層を備えている。
（３）　請求項１〜請求項４及び前記技術的思想（２）のいずれか一項に記載の発明において、前記有機ＥＬ素子を構成し前記基板側に配設される電極は透明又は半透明に形成されている。
【００６２】
【発明の効果】
以上、詳述したように、請求項１〜請求項７に記載の発明によれば、開口率を低下させることなく、コントラストを向上できる。
【図面の簡単な説明】
【図１】第１の実施の形態の有機ＥＬカラー表示装置の要部模式断面図。
【図２】画素電極の模式平面図。
【図３】第２の実施の形態カラー表示装置の要部模式断面図。
【図４】従来技術の有機ＥＬカラー表示装置の模式断面図。
【図５】別の従来技術の発光ディスプレイの模式図。
【図６】別の従来技術の有機ＥＬディスプレイの模式断面図。
【図７】同じく有機ＥＬディスプレイの模式断面図。
【符号の説明】
１２，３２…基板、１３，３３…アクティブ駆動用素子としての薄膜トランジスタ、１５，３５…ブラックマトリックス用絶縁層、１６…有機ＥＬ素子、１７，３６…画素電極、２０…パッシベーション膜、２１，３７…コンタクトホール、２３，４０…カラーフィルタ、２３ｂ，４０ｂ…画素、３１…反射型カラー液晶ディスプレイ、４１…液晶ユニット。
【図１】
2004047194.tif 000003
【図２】
2004047194.tif 000004
【図３】
2004047194.tif 000005
【図４】
2004047194.tif 000006
【図５】
2004047194.tif 000007
【図６】
2004047194.tif 000008
【図７】
2004047194.tif 000009